(57)【要約】【課題】この発明は、一般の家庭で、また業務用として手軽に使用可能な粘着テープの定寸カッターの提供にある。【解決手段】粘着テープの引出方向に対して横断方向の枕状連接部が同一面で粘着テープの引出方向に所定に離隔し、かつ、切断時に、粘着テープの粘着面に連接して切断刃部で切断が可能に保持する切断連接面を備えた定寸回転連接引出駒を、粘着テープを支架するリールと切断刃部との間に回転自在に配備し、引出幅を定寸に規制する粘着テープ定寸カッター。【選択図】図１
2005255267.tif 000002
【特許請求の範囲】
【請求項１】
粘着テープの引出方向に対して横断方向の枕状連接部が同一面で粘着テープの引出方向に所定に離隔し、かつ、切断時に、粘着テープの粘着面に連接して切断刃部で切断が可能に保持する切断連接面を備えた定寸引出駒を、粘着テープを支架するリールと切断刃部との間に回転自在に配備し、引出幅を定寸に規制する粘着テープ定寸カッター。
【請求項２】
粘着テープの引出方向に対して横断方向の枕状連接部が同一面で粘着テープの引出方向に所定に離隔し、かつ、切断時に、粘着テープの粘着面に連接して切断刃部で切断が可能に保持する切断連接面を、回転支軸を中心とする上下に平行面に形成してなる請求項１の粘着テープ定寸カッター。
【請求項３】
粘着テープの引出方向に対して横断方向の枕状連接部が同一面で粘着テープの引出方向に所定に離隔し、かつ、切断時に、粘着テープの粘着面に連接して切断刃部で切断が可能に保持する切断連接面の反対面が凸型湾曲面に形成してなる請求項１の粘着テープ定寸カッター。
【請求項４】
粘着テープを切断時に、粘着テープのリールと対応する切断連接面の枕状連接部は粘着テープの粘着面に強く粘着し、反対の切断刃部と対応する切断連接面の枕状連接部は粘着テープの粘着面に弱く粘着して剥離し易いように構成してなる請求項１、請求項２または請求項３の粘着テープ定寸カッター。
【請求項５】
切断連接面の粘着テープのリールと対応する枕状連接部と反対の切断刃部と対応する枕状連接部は回転軸に対してそれぞれ同一径面に構成してなる請求項１、請求項２、請求項３または請求項４の粘着テープ定寸カッター。
【発明の詳細な説明】
【技術分野】
【０００１】
この発明は、粘着テープをほぼ定められた寸法に切断することができる粘着テープ定寸カッターに関するものである。
【背景技術】
【０００２】
従来、一般の家庭、商店で使用される粘着テープカッターは、紙管に巻回された粘着テープを回転自在のリールに載架部と、その粘着テープの先端からの引出し部を切断する刃部とから構成され、引出し幅によって定寸に切断するものである。
定寸に切断する目安として、帯板型のメジャーを粘着テープの引出し方向と平行に、刃部と並設したものが実開平５−７５２５１号公報に提案されている。
また、その引出し幅を計ることなく、単に引出すとその寸法が決定される定寸カッターとして実開平５−９２２５８号公報の如く、テープリールと一体に回転するメジャーディスクを設け、そのメジャーディスクの外側面に軸心から所要半径毎に環状円に沿って繰出す感知溝を所要間隔毎に設け、テープリールを軸受する支台の内側面に、前記メジャーディスクの外側面に軸心から円周方向に対応してスライドし、前記環状円を選択した固定位置で、その選択した所定環状円の感知溝と係合するストッパーピンを配備し、メジャーディスクの回転角を所定環状円の感知溝の間隔に規制し、粘着テープの繰出し幅を決定するものがある。
また、実開平６−４２８６０号公報には、テープホルダーから引出した粘着テープを切断凹部ドラムに粘着面を接面して引出し、これに接面して切断刀ドラムを同期回転し、切断凹部ドラムの切断凹部と切断刀ドラムの切断刀を対応させて定寸に切断する定寸切断装置が提案されている。
【特許文献１】実開平５−７５２５１号公報
【特許文献２】実開平５−９２２５８号公報
【特許文献３】実開平６−４２８６０号公報
【発明の開示】
【発明が解決しようとする課題】
【０００３】
前記従来の  実開平５−７５２５１号公報では、メジャーが刃部に並設されているので、目安として便利であるが、引出しを定寸にストップする機構がないためカットテープの寸法に正確性を欠くものである。
実開平５−９２２５８号公報は、定寸の種類が多く選択できるが、ストッパーピンと感知溝の衝突によりテープリールを停止させるため、衝撃がその都度発生し、耐久性に問題がある。
実開平６−４２８６０号公報は、切断ドラムによるため、引出し幅が定寸に限定されて選択できない欠点がある。
【０００４】
この発明は、前記従来の欠点を解消することを目的に開発されたもので、一般の家庭で、また業務用として手軽に使用可能な粘着テープの定寸カッターを提案するものである。
【課題を解決するための手段】
【０００５】
粘着テープの引出方向に対して横断方向の枕状連接部が同一面で粘着テープの引出方向に所定に離隔し、かつ、切断時に、粘着テープの粘着面に連接して切断刃部で切断が可能に保持する切断連接面を備えた定寸引出駒を、粘着テープを支架するリールと切断刃部との間に回転自在に配備し、引出幅を定寸に規制する粘着テープ定寸カッターにある。
【０００６】
粘着テープの引出方向に対して横断方向の枕状連接部が同一面で粘着テープの引出方向に所定に離隔し、かつ、切断時に、粘着テープの粘着面に連接して切断刃部で切断が可能に保持する切断連接面を、回転支軸を中心とする上下に平行面に形成してもよいものである。
【０００７】
粘着テープの引出方向に対して横断方向の枕状連接部が同一面で粘着テープの引出方向に所定に離隔し、かつ、切断時に、粘着テープの粘着面に連接して切断刃部で切断が可能に保持する切断連接面の反対面が凸型湾曲面に形成してもよいものである。
【０００８】
粘着テープを切断時に、粘着テープのリールと対応する切断連接面の枕状連接部は、粘着テープの粘着面に強く粘着し、反対の切断刃部と対応する切断連接面の枕状連接部弱く剥離易く粘着するように構成してもよいものである。
【０００９】
切断連接面の粘着テープのリールと対応する枕状連接部と反対の切断刃部と対応する枕状連接部は回転軸に対してそれぞれ同一径面に構成してもよいものである。
【発明の効果】
【００１０】
本発明の粘着テープ定寸カッターは、以上のように、第１に、粘着テープの引出方向に対して横断方向の枕状連接部が同一面で粘着テープの引出方向に所定に離隔し、かつ、切断時に、粘着テープの粘着面に連接して切断刃部で切断が可能に保持する切断連接面を備えた定寸引出駒を、粘着テープを支架するリールと切断刃部との間に回転自在に配備しているから、引き出し操作において節度があり、定寸寸幅を間違えることなく容易に引き出すことができ、また、その状態で切断刃部に粘着テープの中間を当てて定寸幅に切断することができる。
第２に、回転軸を中心に切断連接面を２面対応して設けるものでは、定寸回転連接駒を半回転毎に引き出して粘着テープを短尺の定寸幅に切断することができる。
第３に、切断連接面の反対面を凸湾曲誘導面に設けたものでは、定寸回転連接駒を１回転毎に引き出して長尺の定寸幅を切断することができ、用途に応じて種々の幅の切断片を得ることができる。
第４に、粘着テープを切断時に、粘着テープのリールと対応する切断連接面の枕状連接部は、粘着テープの粘着面に強く粘着し、反対の切断刃部と対応する切断連接面の枕状連接部は、弱く剥離し易く粘着するように構成しているから、粘着テープと定寸回転連接駒とが粘着して相互が定点を維持して回転すると共に、回転と共に離隔して定点を解消し、円滑な定寸幅の引出と誘導に寄与するものである。
第５に、定寸回転連接駒により引き出し幅が一定になるので、粘着テープの印刷マーク、例えば、図１０に示すように、短尺切断片において、印刷マークを中心に配置して切断し、シールとしての使用ができ、粘着テープの新しい用途を提供できる。
なお、定寸回転連接駒は、交換自在であるから、全部を外すこともでき、従来と同様の粘着テープカッターとしても利用できるものである。
【発明を実施するための最良の形態】
【００１１】
粘着テープを支架するリールと切断刃部との間に回転自在に配備し、引出幅を定寸に規制する粘着テープ定寸カッターの定寸引出駒は、粘着テープの引出方向に対して横断方向の枕状連接部が同一面で粘着テープの引出方向に所定に離隔し、かつ、切断時に、粘着テープの粘着面に連接して切断刃部で切断が可能に保持する切断連接面を、回転支軸を中心として対応する平行面または他方の面が凸型湾曲面に形成し、さらに、切断連接面の粘着テープのリールと対応する枕状連接部と反対の切断刃部と対応する枕状連接部は回転軸に対してそれぞれ同一径面に構成し、粘着テープのリールと対応する切断連接面の枕状連接部を粘着テープの粘着面に強く粘着し、反対の切断刃部と対応する切断連接面の枕状連接部を粘着テープの粘着面に弱く粘着して剥離し易いように構成してなる。
【実施例】
【００１２】
以下、この発明の粘着テープ定寸カッターを、その実施例である図面により説明すると、図１〜図７は、半回転型定寸引出駒２を使用した実施例の粘着テープ定寸カッター１を示すものであり、ホルダー４には、粘着テープ５を回転自在に軸架するテープリール６と、切断刃部７との間の両側に配置された軸受板８、８に前記半回転型定寸引出駒２を回転自在に支承している。
【００１３】
前記半回転型定寸引出駒２は、図１〜図７に示すように、互いに平行な枕状連接部２ａ、２ｂを前後端に備えた切断連接面３ａ、３ｂを対称に備える方形体に形成され、方形体の側面において前後の中間に外方に突出する軸部２ｃ、２ｄを具備している。
【００１４】
前記半回転型定寸引出駒２は、ホルダー４の両側の軸受板８、８に支承された状態で上面側の枕状連接部２ａ、２ｂの双方が、テープリール６上の粘着テープ５の引出端と切断刃部７とに差し渡した状態で粘着テープ５の粘着面５ａに接面するように、差し渡し面より上方に配備される。
【００１５】
前記半回転型定寸引出駒２の上面側の枕状連接部２ａ、２ｂにおいて、図１〜図４に示すようにテープリール６と対応側の枕状連接部２ａを粘着テープ５の粘着面５ａと粘着して定点を維持するように、例えば、接面面積を広くする物理的平滑面若しくは粘着する素材で設け、同じく、図１〜図４に示すように、反対の切断刃部７との対応側の枕状連接部２ｂを粘着テープ５の粘着面５ａと容易に剥離するように、例えば、接面面積を小さくする物理的凹凸面若しくは粘着しない素材または表面を化学的処理により設ける。図面に示す実施例では、全体を粘着剤に対して容易に剥離する素材を用いて成型しているため、枕状連接部２ａの表面を平滑面に形成した後、例えば、表面を化学的に処理し、接着性を付与し、反対の枕状連接部２ｂは、単に平滑面に形成するだけである。図５に示す半回転型定寸引出駒２の実施例では、切断刃部７と対応する枕状連接部２ｂの表面に物理的凹凸を具備する実施例として、筋状の突条２ｂ１を所要の間隔で横列している。
【００１６】
前記半回転型定寸引出駒２を回転自在に支承する軸受板８、８の軸受孔９、９は、誘導路９ａ、９ａにより外方へ開口するから半回転型定寸引出駒２を他の定寸引出駒と交換することができる。
【００１７】
この発明の実施例の半回転型定寸引出駒２を装備した粘着テープ定寸カッター１は、前述のように構成されるから、テープリール６に粘着テープ５をセットし、次に、その粘着テープ５の先端から引出し、その中間の粘着面５ａを半回転型定寸引出駒２の枕状連接部２ａ、２ｂに当てて仮着接面し、先端を切断刃部７に当てて切断し、全体を図１〜図３に示すようにセットしておく。この状態から、粘着テープ５の切断片が必要なときには、切断刃部７と半回転型定寸引出定寸駒２の間の部分を手に持って粘着テープ５を引出すと、粘着テープ５は、半回転型定寸引出駒２に粘着面５ａを仮着接面しているから、これを同時に回転し、回転により粘着テープ５を送り出すことができ、図６の状態へ半回転型定寸引出駒を半回転した後、さらに図７に示す位置に戻り、１８０度回転してその回転角度による周回移動距離だけ粘着テープ５を引出すことができる。そこで、引き出し幅の終端を切断刃部７に当てて切断し、図１０に示すように、短尺定寸幅切断片１０を得ることができる。切断が定寸幅であるから、印刷マーク１０ａを中心に配置して切断することができる。そして、その短尺定寸幅切断片１０を一般的な接着用途の外に、新しい用途としてのシールとしても利用できるものである。
【００１８】
次に、粘着テープ５の切断片の長さが前記より長いものを使用したいときには、は半回転型定寸引出駒２を軸受板８、８の軸受孔９、９より誘導路９ａ、９ａを通じて外方へ外し、図８〜図９に示す一回転型定寸引出駒１１を反対の手順で軸受板８、８の軸受孔９、９に嵌合してセットする。この一回転型定寸引出駒１１は実施の一例であって、その切断連接面１２は、半回転型定寸引出駒２と同様の枕状連接部１１ａ、１１ｂを形成して備え、その切断連接面１２の反対面は半円に湾曲して全体が形成されるものである。
【００１９】
前記一回転型定寸引出駒１１の切断連接面１２における枕状連接部１１ａ、１１ｂは、図８に示すように、テープリール６と対応側の枕状連接部１１ａを粘着テープ５の粘着面５ａと粘着して定点を維持するように、接面面積を広くする物理的平滑面に形成すると共に接着し易いように化学的処理を行い、反対の切断刃部７との対応側の枕状連接部１１ｂを粘着テープ５の粘着面５ａと容易に剥離する素材の性質を利用し、物理的平滑面に形成し、切断連接面１２の反対面の半円湾曲面１１ｃについては粘着テープ５の粘着面５ａが剥がれ易いように、筋状の突条１３を所要の間隔で横列している。もっとも、前記実施例は、剥離性を目的に接触面の減少にあるから前記実施例の形状に限定するものではない。また、平滑面であっても、剥離剤を塗布することによって目的を達成することもできる。
【００２０】
一回転型定寸引出駒１１をホルダー４にセットした粘着テープ定寸カッター１は、前述のように構成されるから、粘着テープを持って切断刃部７上に接近して引出すと、一回転して前記図７と同様に、一回転型定寸引出駒１１の切断連接面１２が上面を向いた位置で、前記半回転型定寸引出駒２に比較して約２倍の長さを誘導して引出すことができ、そして、その位置で切断刃部７に粘着テープ５の中間を当てて切断し、長尺定寸幅切断片１４を得ることができる。
【産業上の利用可能性】
【００２１】
本発明の粘着テープ定寸カッターは、以上のようになるから、取り扱いが容易であり、誰でも容易に定寸の切断片を得ることができ、一般家庭で、また、商店等の業務において便利である。
【図面の簡単な説明】
【００２２】
【図１】この発明の粘着テープ定寸カッターにおいて、半回転型定寸引出駒を使用した実施例の使用状態を示す斜視図である。
【図２】同じく、平面図である。
【図３】同じく、縦断側面図である。
【図４】前記半回転型定寸引出駒単体の拡大斜視図である。
【図５】前記半回転型定寸引出駒において、粘着テープの切断時に切断刃部側と対応する枕状連接部の他の実施例を示す斜視図である。
【図６】同じく、半回転型定寸引出駒を１／４回転し、粘着テープを定寸の半分引出した状態の斜視図である。
【図７】同じく、粘着テープを定寸の引出し、切断する状態の斜視図である。
【図８】一回転型定寸引出駒の実施例を示す上方側からの斜視図である。
【図９】同じく、その一回転型定寸引出駒の下方側からの斜視図である。
【図１０】前記図１〜図７の実施例で示す半回転型定寸引出駒を使用して粘着テープを切断した短尺切断片の平面図である。
【図１１】前記図８および図９の実施例で示す一回転型定寸引出駒を使用して粘着テープを切断した長尺切断片の平面図である。
【符号の説明】
【００２３】
１  粘着テープ定寸カッター
２  半回転型定寸引出駒
２ａ  枕状連接部
２ｂ  枕状連接部
２ｂ１  筋状の突条
２ｃ  軸部
２ｄ  軸部
３ａ  切断連接面
３ｂ  切断連接面
４  ホルダー
５  粘着テープ
５ａ  粘着面
６  テープリール
７  切断刃部
８  軸受板
９  軸受孔
９ａ  誘導路
１０  短尺定寸幅切断片
１１  一回転型定寸引出駒
１１ａ 枕状連接部
１１ｂ 枕状連接部
１１ｃ 半円湾曲面
１１ｄ  軸部
１１ｅ  軸部
１２  切断連接面
１３  筋状の突条
１４  長尺定寸幅切断片
【図１】
2005255267.tif 000003
【図２】
2005255267.tif 000004
【図３】
2005255267.tif 000005
【図４】
2005255267.tif 000006
【図５】
2005255267.tif 000007
【図６】
2005255267.tif 000008
【図７】
2005255267.tif 000009
【図８】
2005255267.tif 000010
【図９】
2005255267.tif 000011
【図１０】
2005255267.tif 000012
【図１１】
2005255267.tif 000013